(57)【要約】      （修正有）【課題】ノートを内カバーの両方のポケットに差し込み、内カバーの背部を外カバーに固定すると共に、ノートをめくり易くしたノートカバーを提供する。【解決手段】外カバー２と、内カバーと、両者を固定する留め具とを備え、内カバーの背部１０側に差込口を有するポケット１１ａ，１１ｂが形成され、差込口とは反対側の端辺に切り欠き部１３ａ，１３ｂを設けたものであり、内カバーを外カバー２に留め具で固定できると共に、内カバーがあっても、切り欠き部１３ａ，１３ｂでノートの表紙を押さえることで、ノートを容易にめくることができるノートカバーである。【選択図】図６
2019171669.tif 000002
【特許請求の範囲】
【請求項１】
ノートをカバーするノートカバーであって、
前記ノートの表紙を差し込むポケットを有する内カバーと、
前記内カバーの外側に設けられる外カバーとを備え、
前記内カバーの背部と前記外カバーの折り曲げ部の内側とが固定され、
前記内カバーにおいて、前記ポケットの差し込み側とは反対側の端辺に切り欠き部を設けたことを特徴とするノートカバー。
【請求項２】
内カバーの内側において、背部を中心に左右にポケットが設けられ、
前記ポケットは、前記背部側にノートを差し込む差込口が設けられると共に、前記差込口とは反対側の端辺の中央に切り欠き部を設けたことを特徴とする請求項１記載のノートカバー。
【請求項３】
外カバーと内カバーが固定される部分は、前記外カバーの折り曲げ部の上端及び下端に切り取り部が形成され、前記内カバーにも前記切り取り部に相当する切り取り部が形成され、前記外カバーの切り取り部と前記内カバーの切り取り部とをフック状の留め具で固定したことを特徴とする請求項１又は２記載のノートカバー。
【請求項４】
外カバーの折り曲げ部の上端及び下端には、複数の切り取り部が形成され、
前記外カバー内に、複数の内カバーが固定されることを特徴とする請求項３記載のノートカバー。
【請求項５】
留め具は、棒状で両端がフック状に折り曲げられ、当該フックが切り取り部にはめ込まれることを特徴とする請求項３又は４記載のノートカバー。
【発明の詳細な説明】
【技術分野】
【０００１】
本発明は、ノートカバーに係り、特に、内カバーの背部を外カバーに固定でき、内カバーにセットされたノートをめくり易くしたノートカバーに関する。
【背景技術】
【０００２】
［従来の技術］
従来のノートカバーは、ブックカバータイプであれば、カバーのポケットにノートの表紙を差し込んでノートをセットするものとなっている。
スケジュール用のダイアリーノートと自由に書き込めるメモ用のノートの２種類を同時に使うことがあり、ノートカバーに２冊のノートを保持して使用する要望がある。
【０００３】
［関連技術］
尚、関連する先行技術として、特開２０１６−１４１０８２号公報「横２冊以上見開きカバー」（特許文献１）、実用新案登録第３２０６６８５号公報「ノートカバー」（特許文献２）がある。
【０００４】
特許文献１には、２冊のノートカバーの端辺を結合させた見開きカバーが示されている。
特許文献２には、ノートの表紙をポケットで固定するのではなく、ノートの背表紙近辺で保持するノートカバーが示されている。
【先行技術文献】
【特許文献】
【０００５】
【特許文献１】特開２０１６−１４１０８２号公報
【特許文献２】実用新案登録第３２０６６８５号公報
【発明の概要】
【発明が解決しようとする課題】
【０００６】
しかしながら、上記従来のブックカバータイプのノートカバーでは、２冊のノートを保持する場合に、各ノートの表紙の一方のみがノートカバーのポケットに差し込まれるので、差し込まれていない表紙が安定せず、使い勝手が悪いという問題点があった。
【０００７】
特許文献１，２には、外カバーと内カバーを備え、内カバーに保持されたノートを容易にめくることができる構成については記載されていないものである。
【０００８】
本発明は上記実状に鑑みて為されたもので、ノートを内カバーの両方のポケットに差し込み、内カバーの背部を外カバーに固定すると共に、ノートをめくり易くしたノートカバーを提供することを目的とする。
【課題を解決するための手段】
【０００９】
上記従来例の問題点を解決するための本発明は、ノートをカバーするノートカバーであって、ノートの表紙を差し込むポケットを有する内カバーと、内カバーの外側に設けられる外カバーとを備え、内カバーの背部と外カバーの折り曲げ部の内側とが固定され、内カバーにおいて、ポケットの差し込み側とは反対側の端辺に切り欠き部を設けたことを特徴とする。
【００１０】
本発明は、上記ノートカバーにおいて、内カバーの内側において、背部を中心に左右にポケットが設けられ、ポケットが、背部側にノートを差し込む差込口が設けられると共に、差込口とは反対側の端辺の中央に切り欠き部を設けたことを特徴とする。
【００１１】
本発明は、上記ノートカバーにおいて、外カバーと内カバーが固定される部分が、外カバーの折り曲げ部の上端及び下端に切り取り部が形成され、内カバーにも切り取り部に相当する切り取り部が形成され、外カバーの切り取り部と内カバーの切り取り部とをフック状の留め具で固定したことを特徴とする。
【００１２】
本発明は、上記ノートカバーにおいて、外カバーの折り曲げ部の上端及び下端には、複数の切り取り部が形成され、外カバー内に、複数の内カバーが固定されることを特徴とする。
【００１３】
本発明は、上記ノートカバーにおいて、留め具が、棒状で両端がフック状に折り曲げられ、当該フックが切り取り部にはめ込まれることを特徴とする。
【発明の効果】
【００１４】
本発明によれば、ノートの表紙を差し込むポケットを有する内カバーと、内カバーの外側に設けられる外カバーとを備え、内カバーの背部と外カバーの折り曲げ部の内側とが固定され、内カバーにおいて、ポケットの差し込み側とは反対側の端辺に切り欠き部を設けたノートカバーとしているので、内カバーを外カバーに固定できると共に、内カバーがあっても、切り欠き部でノートの表紙を押さえることで、ノートを容易にめくることができる効果がある。
【図面の簡単な説明】
【００１５】
【図１】内カバーの内側平面図である。
【図２】外カバーの内側平面説明図である。
【図３】外カバーの外側平面説明図である。
【図４】留め具の概略図である。
【図５】内カバーにノートをセットした平面説明図である。
【図６】外カバーに内カバーを固定した平面説明図である。
【図７】本ノートカバーが閉じた状態を示す側面説明図である。
【図８】内カバーとノートの関係を示す概略図である。
【発明を実施するための形態】
【００１６】
本発明の実施の形態について図面を参照しながら説明する。
［実施の形態の概要］
本発明の実施の形態に係るノートカバー（本ノートカバー）は、外カバーと、内カバーと、両者を固定する留め具とを備え、内カバーの背部側に差込口を有するポケットが形成され、差込口とは反対側の端辺に切り欠き部を設けたものであり、内カバーを外カバーに固定できると共に、内カバーがあっても、切り欠き部でノートの表紙を押さえることで、ノートを容易にめくることができるものである。
【００１７】
本ノートカバーは、ノートを保持する内カバーと、内カバーを中央の折り曲げ部で固定する外カバーと、内カバーを外カバーに固定する留め具とを備えるものである。
以下、各部を具体的に説明する。
【００１８】
［内カバー１：図１］
本ノートカバーの内カバーについて図１を参照しながら説明する。図１は、内カバーの内側平面図である。
内カバー１は、図１に示すように、中央縦方向に背部１０が設けられ、内側では谷折りとなり、外側が山折りとなる。
内カバー１は、背部１０を中心にして、左側に左面１０ａと、右側に右面１０ｂを備え、左面１０ａと右面１０ｂには、ポケット１１ａ，１１ｂが形成されている。
【００１９】
ポケット１１ａは、背部１０側（矢印方向）からノートの左表紙を差し込む差込口を備え、ポケット１１ｂは、背部１０側（矢印方向）からノートの右表紙を差し込む差込口を備えている。
【００２０】
更に、左面１０ａの左端辺（背部１０とは反対側の短辺）に切り欠き部１３ａが形成され、右面１０ｂの右端辺（背部１０とは反対側の短辺）に切り欠き部１３ｂが形成されている。
この切り欠き部１３ａ，１３ｂは、親指の先端の一部が入る程度の大きさで、半円形で切り取られている。この切り欠き部１３ａ，１３ｂがノートを開き易くするための構造である。
【００２１】
また、背部１０の上端には切り取り部１２ａが、背部１０の下端には切り取り部１２ｂが形成されている。
切り取り部１２ａ，１２ｂは、上下の端辺から内側に切り取られている。この切り取り部１２ａ，１２ｂは、後述する留め具のフック部分が係止するものである。
【００２２】
［外カバー２の内側：図２］
次に、本ノートカバーの外カバーについて図２を参照しながら説明する。図２は、外カバーの内側平面説明図である。
本ノートカバーの外カバー２は、図２に示すように、中央縦方向に形成された折り曲げ部２０と、その左側に形成された左面２０ａと、その右側に形成された右面２０ｂとを備えている。
【００２３】
外カバー２は、内カバー１を覆うよう外側に設けられるものであり、内カバー１より少し大きい形状となっている。
折り曲げ部２０は、図２の中央縦方向を起点に谷折り又は山折りにできるものであるが、通常は、内側面が閉じられる谷折りで安定する。
【００２４】
また、折り曲げ部２０には、内カバー１を固定するための切り取り部２１ａ，２１ｂ，２１ｃ，２１ｄが形成されている。 
切り取り部２１ａ，２１ｂが、１つの内カバー１を固定するための対の構成となっており、この切り取り部２１ａ，２１ｂに後述する留め具のフック部分がはめ込まれるものである。
また、切り取り部２１ｃ，２１ｄも同様に対の構成となっており、別の内カバーを固定するために使用される。
【００２５】
［外カバー２の外側：図３］
次に、外カバー２の外側について図３を参照しながら説明する。図３は、外カバーの外側平面説明図である。
外カバー２の外側の形状は、図３に示すように、内側の形状とほぼ同様であるが、折り曲げ部２０に保護部２２が形成されている。
【００２６】
保護部２２は、折り曲げ部２０の中央に設けられるもので、縦方向の両端部分が固定部２２ａ，２２ｂで固定され、折り曲げ部２０と保護部２２との間に隙間が形成されるようになっている。つまり、保護部２２の上端と下端は開放されており、隙間に後述する留め具が挿入されるようになっている。
【００２７】
固定部２２ａ，２２ｂは、図３ではステッチで固定するものとなっているが、接着剤や面ファスナーで固定してもよい。
折り曲げ部２０に保護部２２を設けているのは、外カバー２の強度を高めるためと、本ノートカバーを使用者が持った場合に、指等が留め具と留め具、留め具と外カバー２との間に挟まれることを防止するためである。
【００２８】
［留め具３：図４］
次に、留め具について図４を参照しながら説明する。図４は、留め具の概略図である。
留め具３は、図４に示すように、直線部３０と、フック部３１ａ，３１ｂとから構成されている。留め具３は、金属製の棒の両端を折り曲げてフック部３１ａ，３１ｂを形成し、折り曲げていない部分が直線部３０となる。
【００２９】
留め具３は、外カバー２の折り曲げ部２０と保護部２２との隙間に挿入されて、フック部３１ａ，３１ｂが、外カバー２の切り取り部２１ａ，２１ｂ又は切り取り部２１ｃ，２１ｄにはめ込まれ、更に、内カバー１の切り取り部１２ａ，１２ｂにはめ込まれる。
つまり、留め具３の直線部３０は外カバー２の外側（但し、保護部２２の内側）に設置され、フック部３１ａ，３１ｂが外カバー２の内側に向くよう配置される。
【００３０】
［内カバーにノートをセット：図５］
次に、内カバー１にノートをセットした状態について図５を参照しながら説明する。図５は、内カバーにノートをセットした平面説明図である。
図５に示すように、内カバー１のポケット１１ａ，１１ｂの差込口（矢印方向）からノート４の左右の表紙を差し込むと、内カバー１の左右の端辺に形成された切り欠き部１３ａ，１３ｂにノート４の表紙の一部が露出するようになる。
【００３１】
このノート４の一部が切り欠き部１３ａ，１３ｂから露出することが、ノート４をめくり易くするための構成となる。ノート４のめくり易さは後述する。
尚、図５では、説明を簡略化するために、ノート４のページ部分を省略している。
【００３２】
［外カバーに内カバーを固定：図６］
次に、外カバー２に内カバー１を固定した場合について図６を参照しながら説明する。図６は、外カバーに内カバーを固定した平面説明図である。
本ノートカバーは、図６に示すように、外カバー２の内側に内カバー１をセットして固定して使用するものであり、外カバー２の切り取り部２１ａ，２１ｂに内カバー１の切り取り部１２ａ，１２ｂを合わせるようにセットする。
【００３３】
すると、内カバー１は、外カバー２に対して若干左に寄るよう配置される。
そして、留め具３を用いて、合わせた切り取り部２１ａ，１２ａをフック部３１ａで係止し、切り取り部２１ｂ，１２ｂをフック部３１ｂで係止して、内カバー１の背部１０の外側を外カバー２の折り曲げ部２０の内側に、上下の端辺部分で固定する。
【００３４】
また、図６には示していないが、外カバー２の切り取り部２１ｃ，２１ｄに別の内カバーの切り取り部を合わせて、別の留め具で固定することも可能である。
このようにすれば、本ノートカバーでは、２つの内カバー１を固定することができ、ノートを２冊保持できるものである。
ノートを３冊以上保持したいのであれば、外カバー２の折り曲げ部２０に対となる切り取り部を３組以上形成すれば可能となる。但し、折り曲げ部２０に形成できる切り取り部には限界があるので、２〜４組の切り取り部を形成するのが適正である。
【００３５】
［本ノートカバーの閉じた状態：図７］
本ノートカバーの閉じた状態について図７を参照しながら説明する。図７は、本ノートカバーが閉じた状態を示す側面説明図である。尚、図７では、内カバー１を２つ固定した例を示している。
図７に示すように、２つの内カバー１が２つの留め具３で外カバー２に固定されている。
【００３６】
外カバー２の折り曲げ部２０の外側には保護部２２が留め具３を覆うように形成されていることが示されている。
図７では、外カバー２の左面２０ａと右面２０ｂとの間に保持される内カバー１の左面１０ａと右面１０ｂには、ポケットその他の構成を省略して描いている。
【００３７】
［内カバーとノートの関係：図８］
ノートのめくり易さについて図８を参照しながら説明する。図８は、内カバーとノートの関係を示す概略図である。
まず、本ノートカバーを閉じた状態で、外カバー２の左面２０ａを上にして、その左面２０ａを開くと、内カバー１の左面１０ａは閉じた状態のままである。
【００３８】
そして、図８に示すように、内カバー１の左面１０ａの端辺に形成された切り欠き部１３ａにノート４の表紙の一部が露出している。その露出したノート４の表紙を指で押さえると、ノート４が全体的にたわみ、ノート４の表紙とページに触ることができるようになり、通常のノートをめくるように本ノートカバーでも容易にページをめくって必要なページを探すことができるものである。
【００３９】
もし、内カバー１の左面１０ａに切り欠き部１３ａがなければ、左面１０ａが閉じた状態となってノートの表紙及びページには触れることはできず、外カバー２に続き内カバー１の左面１０ａをめくってから、ようやくノートのページをめくることになる。そうなると、左手で外カバー２のみを開いた状態から、簡単にページをめくって該当ページを探し出すことができないものとなる。
【００４０】
［実施の形態の効果］
本ノートカバーによれば、外カバー２と、内カバー１と、両者を固定する留め具３とを備え、内カバー１の背部１０側に差込口を有するポケット１１ａ，１１ｂが形成され、差込口とは反対側の端辺に切り欠き部１３ａ，１３ｂを設けたものであり、内カバー１を外カバー２に固定できると共に、内カバー１があっても、切り欠き部１３ａ，１３ｂでノート４の表紙を押さえることで、ノート４を容易にめくることができる効果がある。
【産業上の利用可能性】
【００４１】
本発明は、ノートを内カバーの両方のポケットに差し込み、内カバーの背部を外カバーに固定すると共に、ノートをめくり易くしたノートカバーに好適である。
【符号の説明】
【００４２】
１…内カバー、  ２…外カバー、  ３…留め具、  ４…ノート、  １０…背部、  １０ａ…左面  １０ｂ…右面、  １１ａ，１１ｂ…ポケット、  １２ａ，１２ｂ…切り取り部、  １３ａ，１３ｂ…切り欠き部、  ２０…折り曲げ部、  ２０ａ…左面、  ２０ｂ…右面、  ２１ａ，２１ｂ，２１ｃ，２１ｄ…切り取り部、  ２２…保護部、  ２２ａ，２２ｂ…固定部、  ３０…直線部、  ３１ａ，３１ｂ…フック部
【図１】
2019171669.tif 000003
【図２】
2019171669.tif 000004
【図３】
2019171669.tif 000005
【図４】
2019171669.tif 000006
【図５】
2019171669.tif 000007
【図６】
2019171669.tif 000008
【図７】
2019171669.tif 000009
【図８】
2019171669.tif 000010